(57)【要約】【課題】通信端末を他の人に貸す場合に、端末上の見られたくないデータの閲覧を確実に防ぐことができ、且つ、ユーザの使い勝手の向上を図る。【解決手段】クラウドサーバ２０１からダウンロードされたユーザデータが削除され、規定時間経過後、当該削除したユーザデータを上記クラウドサーバ２０１から再度ダウンロードすることによって、端末内のデータを復旧させるデータ復旧処理部１１５を備える。【選択図】図１
2013250896.tif 000002
【特許請求の範囲】
【請求項１】
サーバにユーザデータをアップロード・ダウンロードすることによって、複数の端末から同一のデータを利用できるサービスに対応した通信端末において、
上記サーバからダウンロードされたユーザデータを削除するデータ削除手段と、
上記データ削除手段によってユーザデータが削除され、規定時間経過後、当該削除したユーザデータを上記サーバからダウンロードすることによって、端末内のデータを復旧させるデータ復旧手段とを備えていることを特徴とする通信端末。
【請求項２】
上記サーバからダウンロードしたユーザデータから削除対象のデータを選択する削除データ選択手段を備え、
上記データ削除手段は、上記サーバからダウンロードされたユーザデータの中から、上記削除データ選択手段によって選択されたユーザデータを削除することを特徴とする請求項１に記載の通信端末。
【請求項３】
上記データ削除手段によるユーザデータの削除を、ユーザの操作によって実行させる削除実行手段を備えていることを特徴とする請求項１または２に記載の通信端末。
【請求項４】
上記データ復旧手段によるユーザデータの復旧を、ユーザの操作によって実行させる復旧実行手段を備えていることを特徴とする請求項１〜３の何れか１項に記載の通信端末。
【請求項５】
通信端末におけるデータ復旧が可能か否かを確認する復旧可能確認手段を備え、
上記データ復旧手段は、
上記復旧可能確認手段による確認結果に応じて、データ復旧を実行するか否かの判断を行うことを特徴とする請求項１〜４の何れか１項に記載の通信端末。
【請求項６】
上記復旧可能確認手段によって通信端末におけるデータ復旧が可能でないと確認されたとき、上記規定時間を延長する規定時間延長手段が設けられていることを特徴とする請求項５に記載の通信端末。
【請求項７】
上記通信端末は、携帯電話機であることを特徴とする請求項１〜６の何れか１項に記載の通信端末。
【請求項８】
サーバにユーザデータをアップロード・ダウンロードすることによって、複数の端末から同一のデータを利用できるサービスに対応した通信方法であって、
上記サーバからダウンロードされたユーザデータを削除するデータ削除ステップと、
上記データ削除ステップによってユーザデータが削除され、規定時間経過後、当該削除したユーザデータを上記サーバからダウンロードすることによって、端末内のデータを復旧させるデータ復旧ステップとを含んでいることを特徴としている通信方法。
【請求項９】
コンピュータを、請求項１〜６の何れか１項に記載の通信端末の各手段として機能させる通信制御プログラム。
【請求項１０】
請求項９に記載の通信制御プログラムを記録したコンピュータ読み取り可能な記録媒体。
【発明の詳細な説明】
【技術分野】
【０００１】
本発明は、クラウドサービスに対応した通信端末に関する。
【背景技術】
【０００２】
近年、端末側で行うコンピュータ処理を、ネットワークを経由してサーバ上で行うサービス、所謂クラウドサービスが利用されつつある。
【０００３】
クラウドサービスを利用した技術として、例えば特許文献１に、サーバが、端末からの文書データの処理要求を受けて、処理対象のデータを分割して処理し、処理結果を結合するシステムであって、処理の状況に応じて、処理の実行主体の数を増減することができるクラウドコンピューティングシステムが提案されている。
【０００４】
また、一般的なクラウドサービスでは、クラウドサービスに対応した通信端末、例えば携帯電話機を用いて、クラウドサービスを提供するサーバ（クラウドサーバ）に電話帳データ、メールデータ、ドキュメントなどのユーザデータを保存するようになっている。そして、上記携帯電話機にアカウント・パスワードを入力することで、当該携帯電話機に対して自動的にユーザデータが上記クラウドサーバに対してアップロード・ダウンロードされるようになっている。
【０００５】
このようなクラウドサービスを利用すれば、アカウント・パスワードを入力すれば、どの携帯電話機・ＰＣ（パーソナルコンピュータ）からでも同じユーザデータを共用することが可能となる。このようなクラウドサービスの利用例として、例えば、携帯電話機でのユーザデータの１つとして、閲覧中のＷｅｂサイトや音楽情報を引きついで、自宅のＰＣでＷｅｂサイトの続きを見る、あるいは音楽の続きを聞くなどが考えられる。
【先行技術文献】
【特許文献】
【０００６】
【特許文献１】特開２０１１−２４２９９１号公報（２０１１年１２月１日公開）
【発明の概要】
【発明が解決しようとする課題】
【０００７】
しかしながら、上記従来のクラウドサービスに対応した通信端末では、通信端末を他の人に貸す場合に、端末上の見られたくないデータの閲覧を防ぐために、特定のパスワードを入力することで、クラウドサーバへのアクセスを不可にしたり、または、クラウドサーバ上でのデータを非表示になるように設定したりする。
【０００８】
例えば、子供がゲームをするために、通信端末を使用するとき、業務上のメールデータが同期されて閲覧可能になっていのはよくない。そのため、通信端末を子供に渡す前に、メールフォルダにアクセスパスワードをかけて、閲覧できないようにロックする。通常、このようなロックは、ロック解除の失敗の回数制限を設けて、ロック解除の失敗回数が上限回数を超えたとき、規定時間、アクセスパスワードの入力を受け付けず、ロック解除できない仕組みになっている。このため、子供が、渡された通信端末のロック解除を悪戯で試みて、ロック解除の失敗回数が上限を超えた場合、規定時間が過ぎるまで、長らく端末が利用できない事態に陥ったりすることがある。
【０００９】
また、メールデータを非表示にするタイプの仕組みを設定した場合、サーバへのアクセスパスワードを設定した場合のようにロック解除を試みるといった、子供の悪戯を防止することができるものの、通信端末が手元に戻ったときに、メールデータの非表示設定の解除を忘れることによって、重要なメールデータが表示されず、重要なメールデータを紛失したと勘違いして、ユーザが混乱したりする虞がある。
【００１０】
このように、通信端末を他の人に貸す場合に、端末上の見られたくないデータの閲覧を防ぐための従来の措置では、最終的にユーザがアクセスパスワードの設定を解除したり、メールデータの非表示の設定を解除したりしなければ、通信端末を元のように使用することができず、使い勝手が悪いという問題が生じる。
【００１１】
本発明は、上記の問題点に鑑みなされたものであって、その目的は、通信端末を他の人に貸す場合に、端末上の見られたくないデータの閲覧を確実に防ぐことができ、且つ、ユーザの使い勝手の向上を図ることのできるクラウドサービスに対応した通信端末を提供することである。
【課題を解決するための手段】
【００１２】
本発明の通信端末は、上記課題を解決するために、
サーバにユーザデータをアップロード・ダウンロードすることによって、複数の端末から同一のデータを利用できるサービスに対応した通信端末において、
上記サーバからダウンロードされたユーザデータを削除するデータ削除手段と、
上記データ削除手段によってユーザデータが削除され、規定時間経過後、当該削除したユーザデータを上記サーバからダウンロードすることによって、端末内のデータを復旧させるデータ復旧手段とを備えていることを特徴としている。
【００１３】
本発明の通信方法は、上記課題を解決するために、
サーバにユーザデータをアップロード・ダウンロードすることによって、複数の端末から同一のデータを利用できるサービスに対応した通信方法であって、
上記サーバからダウンロードされたユーザデータを削除するデータ削除ステップと、
上記データ削除ステップによってユーザデータが削除され、規定時間経過後、当該削除したユーザデータを上記サーバからダウンロードすることによって、端末内のデータを復旧させるデータ復旧ステップとを含んでいることを特徴としている。
【００１４】
上記構成によれば、サーバからダウンロードされたユーザデータが削除され、規定時間経過後、当該削除したユーザデータを上記サーバからダウンロードすることによって、端末内のデータを復旧させることで、ユーザデータの削除から規定時間経過後まで、通信端末においてユーザデータの閲覧ができないようにできる。
【００１５】
従って、ユーザデータの削除から規定時間経過後までの間、通信端末を他の人に貸す場合に、端末上の見られたくないユーザデータの閲覧を確実に防ぐことができる。
【００１６】
しかも、一度削除したユーザデータは、ユーザデータの削除から規定時間経過後に、自動的にサーバからダウンロードされ通信端末に戻るようになっているので、端末上の見られたくないデータの閲覧を防ぐための措置の解除、例えばユーザがアクセスパスワードの設定を解除したり、メールデータの非表示の設定を解除したりするような操作が必要でないので、ユーザの使い勝手が向上する。
【００１７】
上記サーバからダウンロードしたユーザデータから削除対象のデータを選択する削除データ選択手段を備え、
上記データ削除手段は、上記サーバからダウンロードされたユーザデータの中から、上記削除データ選択手段によって選択されたユーザデータを削除するようにしてもよい。
【００１８】
上記の構成によれば、サーバからダウンロードされたユーザデータの中から、削除対象として選択されたユーザデータを削除することで、本当に見られたくないユーザデータのみを削除することが可能となる。
【００１９】
例えば、ユーザデータのうち、電話帳データは他の人に見られてれも問題無く、メールデータは他の人に見られたら困る場合、メールデータのみを削除対象とすればよい。
【００２０】
このように、必要なユーザデータのみを削除することで、ユーザデータの復旧時におけるサーバからダウンロードするユーザデータのデータ量を少なくできるので、ユーザデータの復旧にかかる時間を大幅に短縮できる。
【００２１】
上記データ削除手段によるユーザデータの削除を、ユーザの操作によって実行する削除実行手段を備えてもよい。
【００２２】
上記の構成によれば、データ削除手段によるユーザデータの削除を、ユーザの操作によって実行させる削除実行手段が設けられていていることで、上記データ削除手段によるユーザデータの削除から、上記データ復旧手段によるユーザデータの復旧までの一連の動作を、ユーザが削除実行手段を操作するだけで実行させることができる。
【００２３】
これにより、より使い勝手のよい通信端末を実現することが可能となる。
【００２４】
上記削除実行手段は、物理的なボタンスイッチで構成されていてもよいし、または、ＬＣＤ上にボタン等の形状で表示されており、タッチパネル等の手段で利用者が選択するものでもよい。または、具体的なボタンの形状や表示が存在せずに、３軸センサー等の入力装置に対して、利用者が特定のパタンで端末に振動を与えることにより、入力するタイプのものでもよい。
【００２５】
上記データ復旧手段によるユーザデータの復旧を、ユーザの操作によって実行させる復旧実行手段を備えてもよい。
【００２６】
上記の構成によれば、データ復旧手段によるユーザデータの復旧を、ユーザの操作によって実行させる復旧実行手段が設けられていていることで、上記データ復旧手段によるユーザデータの復旧を強制的に実行させることができる。
【００２７】
これにより、ユーザデータを削除してから規定時間経過しない間であっても、強制的にデータの復旧を行うことが可能となるので、ユーザが通信端末の利用を早めたい場合に便利である。
【００２８】
上記復旧実行手段は、物理的なボタンスイッチで構成されていてもよいし、または、ＬＣＤ上にボタン等の形状で表示されており、タッチパネル等の手段で利用者が選択するものでもよい。または、具体的なボタンの形状や表示が存在せずに、３軸センサー等の入力装置に対して、利用者が特定のパタンで端末に振動を与えることにより、入力するタイプのものでもよい。
【００２９】
通信端末におけるデータ復旧が可能か否かを確認する復旧可能確認手段を備え、
上記データ復旧手段は、
上記復旧可能確認手段による確認結果に応じて、データ復旧を実行するか否かの判断を行うことが好ましい。
【００３０】
上記の構成によれば、通信端末におけるデータ復旧が可能か否かの確認結果に応じて、データ復旧を実行するか否かの判断が行われるので、削除されたユーザデータの通信端末への復旧のタイミングを調整することが可能となる。
【００３１】
通信端末におけるデータ復旧が可能でない場合とは、例えば通信端末がサーバとの通信エリア外にいる場合や、通信端末が、別のユーザが利用中であり、まだ復旧するのが適切でないと判断される場合がある。
【００３２】
上記復旧可能確認手段によって通信端末におけるデータ復旧が可能でないと確認されたとき、上記規定時間を延長する規定時間延長手段が設けられていることが好ましい。
【００３３】
このように、通信端末におけるデータ復旧が可能でないと確認されたとき、データ復旧のタイミングを規定した規定時間を延長することで、削除されたユーザデータの通信端末への復旧のタイミングを適切に調整することが可能となる。
【００３４】
上記通信端末は、携帯電話機であることが好ましい。
【００３５】
コンピュータを上述した通信端末の各手段として機能させる通信制御プログラムを用いることで、汎用なコンピュータで、通信制御を実行することができる。
【００３６】
さらに、汎用性を高めるために、上記通信制御プログラムをコンピュータ読み取り可能な記録媒体に記録するようにしてもよい。
【発明の効果】
【００３７】
本発明は、サーバにユーザデータをアップロード・ダウンロードすることによって、複数の端末から同一のデータを利用できるサービスに対応した通信端末において、上記サーバからダウンロードされたユーザデータを削除するデータ削除手段と、上記データ削除手段によってユーザデータが削除され、規定時間経過後、当該削除したユーザデータを上記サーバからダウンロードすることによって、端末内のデータを復旧させるデータ復旧手段とを備えていることで、通信端末を他の人に貸す場合に、端末上の見られたくないデータの閲覧を確実に防ぐことができ、且つ、ユーザの使い勝手の向上を図ることができるという効果を奏する。
【図面の簡単な説明】
【００３８】
【図１】本発明の実施例１に係る携帯電話機の概略構成ブロック図である。
【図２】図１に示す携帯電話機の全体を示す概略ブロック図である。
【図３】図１に示す携帯電話機におけるデータ削除処理の流れを示すフローチャートである。
【図４】図１に示す携帯電話機におけるデータ復旧処理の流れを示すフローチャートである。
【発明を実施するための形態】
【００３９】
本発明の一実施の形態について説明すれば、以下の通りである。なお、本実施の形態では、本発明の通信端末の一例として、携帯電話機について説明する。
【００４０】
（携帯電話機の概要）
図２は、本実施の形態に係る携帯電話機の概略を示すブロック図である。
【００４１】
上記携帯電話機は、図２に示すように、アンテナ１０１、無線部１０２、マイクロフォン１０３、スピーカ１０４、クラウドデータ処理部１０５、タイマ１０６、充電池１０７、メモリ１０８、操作パネル１０９、一括削除ボタン１１０、表示部１１１、電話機制御部１１２を備えている。
【００４２】
上記携帯電話機は、アンテナ１０１及び無線部１０２を介して、クラウドサーバ２０１と通信可能となっている。つまり、携帯電話機は、クラウドサーバ２０１に対して、当該携帯電話機内に保存しているユーザデータをアップロードして、必要に応じて、ダウンロードすることで、複数の携帯電話機から同一のデータを利用できるサービスに対応している。
【００４３】
上記アンテナ１０１は、基地局（図示せず）と無線電波を送受信するためのものである。
【００４４】
上記無線部１０２は、上記アンテナ１０１を介して、基地局（図示せず）と無線電波を送受信するためのものである。
【００４５】
上記マイクロフォン１０３は、携帯電話機を使用する際の通話を行うためのマイクロフォンである。
【００４６】
上記スピーカ１０４は、通話の音声や着信音や各種の音声ガイダンスを放音するためのスピーカである。
【００４７】
上記クラウドデータ処理部１０５は、携帯電話機における同期データの削除やクラウドサーバ２０１と通信を行って同期データを復旧させる処理を行うようになっている。このクラウドデータ処理部１０５の詳細については後述する。
【００４８】
上記タイマ１０６は、携帯電話機に搭載されたタイマであり、携帯電話機の使用に当たり様々な場面で使用される。例えば、上記クラウドデータ処理部１０５におけるデータ復旧処理にも用いられる。
【００４９】
上記充電池１０７は、上記携帯電話機の電源である。
【００５０】
上記メモリ１０８は、電話帳データ／メールデータ／スケジュールデータなどのクラウド同期データを含んだ携帯電話機の各種設定データを記憶するメモリである。
【００５１】
上記操作パネル１０９は、タッチパネルなどで構成された本携帯電話機を操作するための操作パネルである。この操作パネル１０９には、様々な操作手段が設けられており、その一つに一括削除ボタン１１０がある。
【００５２】
上記一括削除ボタン１１０は、上記操作パネル１０９に設けられ、上記クラウドデータ処理部１０５を用いて、クラウド同期データ（ユーザデータ）を一括で削除するためのボタンである。つまり、一括削除ボタン１１０は、後述するデータ削除部１２４によるユーザデータの削除を、ユーザの操作によって実行させる削除実行手段を実現している。
【００５３】
上記一括削除ボタン１１０を実現するためのボタンは、物理的なボタンはスイッチで構成されていてもよいし、または、後述する表示部１１１を構成しているＬＣＤ上にボタン等の形状で表示されており、タッチパネル等の手段で利用者が選択するものでもよい。または、具体的なボタンの形状や表示が存在せずに、３軸センサー等の入力装置に対して、利用者が特定のパタンで端末に振動を与えることにより、入力するタイプのものでもよい。
【００５４】
上記表示部１１１は、ＬＣＤなどで構成され、携帯電話機で必要な情報や、ワンセグＴＶ等の各種情報を表示するようになっている。
【００５５】
上記電話機制御部１１２は、ＣＰＵからなり、上記構成の携帯電話機の各部における動作を制御するようになっている。電話機制御部１１２における制御の詳細については後述する。
【００５６】
（クラウドデータ処理部１０５、電話機制御部１１２の詳細）
図１は、図２に示すクラウドデータ処理部１０５、電話機制御部１１２をさらに詳細に示したブロック図である。
【００５７】
（クラウドデータ処理部１０５）
上記クラウドデータ処理部１０５は、図２に示すように、携帯電話機におけるデータ復旧処理を行うデータ復旧処理部（データ復旧手段）１１５、携帯電話機におけるユーザデータを削除するデータ削除処理部１１６を備えている。
【００５８】
上記データ削除処理部１１６は、操作パネル１０９からの削除指示に基づいて、クラウドサーバ２０１から携帯電話機にダウンロードされたユーザデータを削除するように、後述する電話機制御部１１２のデータ削除部（データ削除手段）１２４に指示する。
【００５９】
データ削除部１２４は、メモリ１０８内に格納されているユーザデータを削除する。
【００６０】
上記データ復旧処理部１１５は、上記データ削除部１２４によってユーザデータが削除され、規定時間経過後、当該削除したユーザデータを上記クラウドサーバ２０１からダウンロードすることによって、携帯電話機のメモリにユーザデータを復旧させる。
【００６１】
つまり、ユーザが規定の操作（データ削除操作）を行うことによって、クラウドサーバ２０１からダウンロードされたユーザデータが削除され、規定時間経過後に前記削除されたデータが上記クラウドサーバ２０１から再度ダウンロードされて、当該携帯電話機内にユーザデータが復旧される。
【００６２】
これにより、自分の携帯電話機を他の人に貸す場合に、隠したいデータを削除して貸し、他の人が使い終わって返却された場合も、一定時間経過すれば元のデータが復旧されることになる。
【００６３】
（電話機制御部１１２）
上記電話機制御部１１２は、同期データの削除および復旧処理（所謂クラウドデータ処理）のために、データ送受信部１２１、データ同期確認処理部１２２、タイマ予約設定部１２３、データ削除部１２４、復旧可能確認部（復旧可能確認手段）１２５、削除データ選択部１２６（削除データ選択手段）を備えている。
【００６４】
上記データ送受信部１２１は、クラウドサーバ２０１に対して、データの送受信を行うようになっており、クラウドデータ処理部１０５からの指示に基づいて、メモリ１０８に格納されたデータをクラウドサーバ２０１にアップロードするデータアップロード部１２１ａと、クラウドサーバ２０１からデータをダウンロードするデータダウンロード部１２１ｂとで構成されている。
【００６５】
上記データ同期確認処理部１２２は、メモリ１０８に格納されているデータが同期されているか否かを確認する。具体的には、過去にクラウドサーバ２０１と同期を実施した以降に、携帯電話機内のメモリ１０８に格納されている該当データに追加／削除や変更等の改変が行われていないかを確認する。
【００６６】
上記データ同期確認処理部１２２は、確認結果を、タイマ予約設定部１２３、データ復旧処理部１１５に送信するようになっている。
【００６７】
上記タイマ予約設定部１２３は、データ削除部１２４によってユーザデータが削除されてから、この削除したユーザデータを復旧させるまでの時間（規定時間）を設定し、設定した規定時間を保存するようになっている。
【００６８】
上記規定時間の設定は、ユーザデータが削除されたあと１時間後、等のユーザが希望する具体的な時刻を登録するものであってもよいし、操作パネル１０９上のボタン（図示せず）が押されたあと、自動的に一定時間後の時刻を予約するものであってもよいし、削除するデータの種別に応じて、あらかじめ定められた時刻を予約するものであってもよい。
【００６９】
上記の説明では、携帯電話機に搭載されているタイマ１０６を用いてタイマ予約設定部１２３がタイマ予約を行っているが、設定したタイマ予約は、携帯電話機に搭載されているメモリ１０８に登録する必要はない。例えば、クラウドサーバ２０１に設けられているサーバ上のタイマに登録されていてもよい。この場合、電話機制御部１１２は、クラウドデータ処理部１０５において、クラウドサーバ２０１上にタイマ予約するのに必要なデータを生成したのち、無線部１０２とアンテナ１０１を経由して、クラウドサーバ２０１上に予約に必要なデータを送信することになる。クラウドサーバ２０１上にタイマ予約するのに必要なデータとは、携帯電話機上のタイマ１０６に保存する値に加えて、利用者が利用している携帯電話機を示す固定識別子、もしくは、利用者自身を示す固定値が追加される。
【００７０】
そして、上記タイマ予約設定部１２３は、タイマ１０６による時間カウントにより、設定した規定時間になったことを信号を、データ同期確認処理部１２２に送信すると共に、クラウドデータ処理部１０５のデータ復旧処理部１１５に送信する。
【００７１】
上記規定時間の設定は、予めユーザに行われるものとする。但し、上記規定時間については、ユーザが設定しなくても、予め設定していてもよい。
【００７２】
また、上記タイマ予約設定部１２３は、復旧可能確認部１２５からの信号によって、設定した規定時間を再度設定し直すことも可能となっている。つまり、復旧可能確認部１２５からの信号により、設定した規定時間を更に延長した時間に設定し直すことも可能となっている。
【００７３】
上記復旧可能確認部１２５は、上記タイマ予約設定部１２３により設定された規定時間になったとき、携帯電話機が、削除したユーザデータの復旧が可能な状態にあるか否かを確認するようになっている。
【００７４】
そして、上記復旧可能確認部１２５の確認結果は、上述したクラウドデータ処理部１０５内のデータ復旧処理部１１５に送られる。データ復旧処理部１１５では、確認結果に応じて、データ復旧を実行するか否かの判断を行う。
【００７５】
上記データ復旧処理部１１５は、上記復旧可能確認部１２５からの確認結果により、データの復旧が不可能であると判断した場合、上述したように、タイマ予約設定部１２３に対して規定時間を再設定するように指示する。この場合、データ復旧が可能でないと確認されたとき、上記規定時間を延長するように、しタイマ予約設定部１２３に指示する。つまり、上記データ復旧処理部１１５は、規定時間延長手段としても機能している。
【００７６】
ここで、データの復旧が不可能なシーンとしては、携帯電話機が圏外のために、クラウドサーバ２０１との通信ができない場合や、携帯電話機が、別のユーザが利用中であると確認でき、まだ復旧するのが適切でないと判断される場合が考えられる。
【００７７】
例えばクラウドサーバ２０１との通信ができないことは、携帯電話機が圏外であることで確認でき、別のユーザが利用中であることは、ユーザログインアカウントが異なることで確認できる。
【００７８】
上記データ削除部１２４は、データ削除処理部１１６から指示により、メモリ１０８内に格納されたユーザデータを削除するようになっている。
【００７９】
ここで、ユーザデータとは、電話帳データ、メールデータ、ドキュメントなどのデータをいう。そしｔ、本実施の形態に係る携帯電話機では、一時的に削除するユーザデータを、ユーザによって選択できるようにしている。例えば、電話帳データのみを一時的に削除するユーザデータとして選択したり、メールデータのみを一時的に削除するユーザデータとして選択したり、あるいは、電話帳データとメールデータとを一時的に削除するユーザデータとして選択してもよい。
【００８０】
ユーザデータの選択は、操作パネル１０９を介して削除データ選択部１２６によって行われる。
【００８１】
（携帯電話機の動作）
次に、上記構成の携帯電話機の動作について、図３、図４に示すフローチャートを参照しながら以下に説明する。
【００８２】
（データ削除処理）
まず、ユーザデータの削除処理について説明する。ここでは、クラウドデータ処理部１０５内のデータ削除処理部１１６の指示に基づいて、電話機制御部１１２がユーザデータの削除処理を実行する。
【００８３】
図３は、図１に示す携帯電話機に記録されているユーザデータを一時的に削除する処理の流れを示すフローチャートである。
【００８４】
ここでは、上記携帯電話機に備えられた電話機制御部１１２は、操作パネル１０９からの入力を監視する。
【００８５】
まず、上記電話機制御部１１２は、操作パネル１０９経由で、一括削除ボタン１１０が押下されたか否かを監視する（ステップＳ１０１）。ここでは、利用者は、一時的に携帯電話機内のユーザデータを削除したい場合に、上記一括削除ボタン１１０を押す。
【００８６】
これにより、ステップＳ１０１において、一括削除ボタン１１０が押下されたことを検出すれば、メモリ１０８に格納されている削除対象のユーザデータが、クラウドサーバに同期済みかの確認を行う（ステップＳ１０２）。ここでは、電話機制御部１１２内のデータ同期確認処理部１２２によって、過去にクラウドサーバと同期を実施した以降に、携帯電話機内のメモリ１０８に格納されている該当データに追加／削除や変更等の改変が行われていないかを確認する。この確認によって、メモリ１０８内の該当データの改変が行われていないと確認された場合は、同期済みとなり(ＹＥＳ）、ステップＳ１０４に移行する。
【００８７】
一方、ステップＳ１０２における上記確認によって、メモリ１０８内の該当データの改変が行われていると確認された場合は、同期していないデータが存在することになるので（ＮＯ）、ステップＳ１０３に移行する。
【００８８】
上記ステップＳ１０３では、携帯電話機内のクラウドデータ処理部１０５内のデータ復旧処理部１１５による指示により、データ送受信部１２１は、メモリ１０８上で同期が必要なデータを抽出し、無線部１０２からアンテナ１０１を経由で、クラウドサーバ２０１と通信を行い、携帯電話機に格納されているデータをクラウドサーバ２０１にアップロードする。これにより、携帯電話機は、ユーザデータの同期を行う。
【００８９】
そして、ステップＳ１０３にてクラウドサーバとの同期処理が完了したら、もしくは、ステップＳ１０２にて、既に同期済みであると確認された場合は、続いて、ステップＳ１０４に移行して、クラウドデータ復旧のタイマ予約を行う。
【００９０】
ステップＳ１０４では、データを削除してから一定時間後（規定時間経過後）に復旧処理を行うためのタイマ予約を行う。具体的には、携帯電話機上のメモリ１０８に、電話機制御部１１２のタイマ予約設定部１２３によって、ユーザがユーザデータを削除後にデータ復旧を希望する時間を登録する処理である。
【００９１】
タイマ予約処理が完了したら、引き続き、携帯電話機上のメモリ１０８上に格納されている該当のユーザデータの削除処理を行う(ステップＳ１０５)。
【００９２】
以上の処理によって、携帯電話機におけるユーザデータの削除処理が完了する。
【００９３】
上記処理を施すことで、携帯電話機を別の人に貸し出しても、ユーザデータが見られることはない。
【００９４】
なお、上記ユーザデータの削除処理では、ユーザデータの全てを削除する点について説明したが、これに限定されるものではなく、ユーザデータの一部のみを削除するようにしてもよい。
【００９５】
例えば、図１に示す削除データ選択部１２６を利用して、クラウドサーバ２０１からダウンロードしたユーザデータを選択するようにしてもよい。
【００９６】
この場合、図１に示すデータ削除部１２４は、上記クラウドサーバ２０１からダウンロードされたユーザデータの中から、上記削除データ選択部１２６によって選択されたユーザデータを削除する。
【００９７】
これにより、ユーザが規定の操作（データ削除操作）を行うことによって、上記クラウドサーバ２０１からダウンロードされたユーザデータを削除する場合に、上記削除データ選択部１２６によって選択されたデータのみ削除され、規定時間経過後に前記削除されたデータが上記クラウドサーバ２０１から再度ダウンロードされて、復元されることができるようになっている。
【００９８】
このように、同期するデータ（ユーザデータ）のうち、隠したいデータを選択的に選ぶことができる。
【００９９】
つまり、上記の構成によれば、クラウドサーバ２０１からダウンロードされたユーザデータの中から、選択対象のユーザデータを削除することで、本当に見られたくないユーザデータのみを削除することが可能となる。
【０１００】
例えば、ユーザデータのうち、電話帳データは他の人に見られてれも問題無く、メールデータは他の人に見られたら困る場合、メールデータのみを削除対象とすればよい。
【０１０１】
このように、必要なユーザデータのみを削除することで、ユーザデータの復旧時におけるサーバからダウンロードするユーザデータのデータ量を少なくできるので、ユーザデータの復旧にかかる時間を大幅に短縮できる。
【０１０２】
（データ復旧処理）
次に、データ復旧処理について説明する。ここでは、クラウドデータ処理部１０５内のデータ復旧処理部１１５の指示に基づいて、電話機制御部１１２がユーザデータの復旧処理を実行する。
【０１０３】
図４は、携帯電話機において、削除されたユーザデータを復旧する処理の流れを示すフローチャートである。
【０１０４】
まず、電話機制御部１１２は、クラウドデータ復旧タイマが満了したか否かを監視する（ステップＳ２０１）。ここでは、携帯電話機のタイマ１０６に保存されたタイマ予約の時間になったか否かを監視する。
【０１０５】
ステップＳ２０１において、電話機制御部１１２は、タイマ１０６が満了したことを検出する（ＹＥＳ）と、携帯電話機の状態を確認して、メモリ１０８内のデータの復旧が可能か否かの確認を行う（ステップＳ２０２）。ここで、メモリ１０８内のデータの復旧が不可能なシーンとしては、携帯電話機が圏外のために、クラウドサーバ２０１との通信ができない場合や、携帯電話機が、別のユーザが利用中であり、まだ復旧するのが適切でないと判断される場合が考えられる。
【０１０６】
ステップＳ２０２において、メモリ１０８内のデータの復旧が可能でないと判断した場合（ＮＯ）は、ステップＳ２０３に移行して、クラウドデータ復旧のタイマ予約再設定処理を行う。ここでは、タイマ１０６にタイマ（復旧時刻等）を再登録することにより、新たなクラウドデータ復旧のタイマ予約としてタイマ１０６に保存する。
【０１０７】
その後、引き続き、ステップＳ２０１に戻って、電話機制御部１１２は、クラウドデータ復旧タイマが満了したか否かを監視する。
【０１０８】
一方、ステップＳ２０２において、携帯電話機のメモリ１０８内のデータの復旧が可能と判断した場合（ＹＥＳ）は、ステップＳ２０４に移行して、クラウドサーバと携帯電話機とのデータ同期処理を行う。
【０１０９】
具体的には、クラウドデータ処理部１０５において、復旧処理の要求をするのに必要なデータ生成を行ったのち、電話機制御部１１２は、無線部１０２とアンテナ１０１を通じて、クラウドサーバ２０１にデータ復旧の要求を投げる。要求を受けたクラウドサーバ２０１は、携帯電話機に該当のユーザデータを送信する。本データを受信した、携帯電話機末は、メモリ１０８上にユーザデータを格納することにより、クラウドデータからのデータの復旧が完了する。
【０１１０】
上記のデータ復旧処理では、データの復旧のタイミングは規定時間経過後に自動で行われるように説明したが、これに限定されるものではなく、データの復旧は、規定時間経過前に強制的に行ってもよい。
【０１１１】
例えば上記データ復旧処理部１１５によるユーザデータの復旧を、ユーザの操作によって実行させる復旧実行手段によって行ってもよい。
【０１１２】
これにより、ユーザデータが削除してから規定時間経過しない間であっても、強制的にデータの復旧を行うことが可能となるので、ユーザが通信端末の利用を早めたい場合に便利である。
【０１１３】
上記復旧実行手段は、物理的なボタンスイッチで構成されていてもよいし、または、ＬＣＤ上にボタン等の形状で表示されており、表示部１１１を構成しているタッチパネル等の手段で利用者が選択するものでもよい。または、具体的なボタンの形状や表示が存在せずに、３軸センサー等の入力装置に対して、利用者が特定のパタンで端末に振動を与えることにより、入力するタイプのものでもよい。
【０１１４】
以上のデータ削除処理、データ復旧処理をまとめると以下のようになる。
【０１１５】
すなわち、本発明における、クラウドサーバ２０１にユーザデータをアップロード・ダウンロードすることによって、複数の端末から同一のデータを利用できるサービスに対応した通信方法は、上記クラウドサーバ２０１からダウンロードされたユーザデータを削除するデータ削除ステップ（図３のステップＳ１０１〜Ｓ１０５）と、上記データ削除ステップによってユーザデータが削除され、規定時間経過後、当該削除したユーザデータを上記クラウドサーバ２０１からダウンロードすることによって、端末内のデータを復旧させるデータ復旧ステップ（図４のステップＳ２０１〜Ｓ２０４）とを含んでいる。
【０１１６】
なお、本実施の形態では、上述したように、データ復旧を行う際に、復旧可能確認部１２５によって、復旧可能か否かを確認し、復旧可能でない場合に、タイマ予約設定部１２３により設定されている規定時間を延長する点について説明したが、規定時間の延長以外の方法で、復旧可能でない場合に対応することもできる。
【０１１７】
例えば、携帯電話機を他の人に貸し出す場合、以下のようなシーンが想定される。
（１）子供にゲームで遊ばせるために一時的に貸す
（２）電話をしたいという人に一時的に貸す
（３）      ブラウザで調査したい人に、一時的に貸す
上記の各シーンでは、自分の目の前で貸し出した携帯電話を利用していることを前提とする。
【０１１８】
従って、上記の前提で、規定時間経過後に、以下に示すタイミングでデータ復旧を行う。
（１）ロック画面になっていたら、現在、「ゲーム」や「電話」や「ブラウザ」の利用が完了したと考えて、データの復旧を許可する。逆に、ロック画面になっていない（つまり、デフォルトで５分以上の無操作時間がない）場合は、まだ貸し出した利用者が利用中と判断して延期する。
（２）携帯電話機が、クレードルにおいた状態で、時間がきたら復旧する。
（３）      特殊な操作を契機に持ち主が利用していると判断して、以後は復旧可能なモードとする。例えばデータ削除後に、１度でもロック画面をパスワード解除して待受けに戻ったことがあれば復旧する。
【０１１９】
（効果）
以上のように、本実施の形態に係る携帯電話機によれば、クラウドサーバ２０１からダウンロードされたユーザデータが削除され、規定時間経過後、当該削除したユーザデータを上記クラウドサーバ２０１からダウンロードすることによって、携帯電話機内のデータを復旧させることで、ユーザデータの削除から規定時間経過後まで、携帯電話機においてユーザデータの閲覧ができないようにできる。
【０１２０】
従って、ユーザデータの削除から規定時間経過後までの間、携帯電話機を他の人に貸す場合に、携帯電話機において見られたくないユーザデータの閲覧を確実に防ぐことができる。
【０１２１】
しかも、一度削除したユーザデータは、ユーザデータの削除から規定時間経過後に、自動的にサーバからダウンロードされ通信端末に戻るようになっているので、携帯電話機上の見られたくないデータの閲覧を防ぐための措置の解除、例えばユーザがアクセスパスワードの設定を解除したり、メールデータの非表示の設定を解除したりするような操作が必要でないので、ユーザの使い勝手が向上する。
【０１２２】
以上のことから、本実施の形態にかかる携帯電話機は、この携帯電話機を他の人に貸す場合に、当該携帯電話機において見られたくないデータの閲覧を確実に防ぐことができ、且つ、ユーザの使い勝手の向上を図ることができるという効果を奏する。
【０１２３】
（置換可能性）
本実施の形態では、常に、サーバ側にユーザデータを保存しておいて、それを、スマートフォンなどの通信端末で利用するシステムを、「クラウドサービス」として説明し、このクラウドサービスが利用可能な通信端末として携帯電話機について説明したが、クラウドサービスに限定されるものではなく、一般的なサーバ・クライアントにも本発明を適用することが可能である。
【０１２４】
例えば、これまでの履歴が残っている歩数計（クライアント側端末）において、削除ボタンを押すと、サーバ側に全データ（歩数データ）を転送したのちに、歩数計内のデータを削除するようにしたサーバ・クライアントシステムが考えられる。この場合、ユーザデータである歩数データは、通常時は端末が持っていることが前提となっている。
【０１２５】
（プログラムおよび記録媒体）
また、コンピュータを、上述したクラウドデータ処理部１０５および電話機制御部１１２における各部として機能させる通信制御プログラムを用いることで、汎用なコンピュータで、本発明の通信制御を実行することができる。
【０１２６】
すなわち、本発明のクラウドデータ処理部１０５および電話機制御部１１２における各処理部は、ハードウェアロジックによって構成すればよい。又は、次のように、ＣＰＵ（Central Processing Unit）を用いてソフトウェアによって実現してもよい。
【０１２７】
すなわち、クラウドデータ処理部１０５および電話機制御部１１２の各処理部は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１２８】
そして、本発明の目的は、クラウドデータ処理部１０５および電話機制御部１１２の各処理部を実現するためのアプリケーションソフト制御プログラムは、プログラムメモリに固定的に担持されている場合に限らず、上記プログラムのプログラムコード（実行形式プログラム、中間コードプログラム、又は、ソースプログラム）を記録した記録媒体を、上記クラウドデータ処理部１０５および電話機制御部１１２の各処理部に供給し、が上記記録媒体に記録されている上記プログラムコードを読み出して実行することによっても、達成可能である。
【０１２９】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などとすることができる。
【０１３０】
また、クラウドデータ処理部１０５および電話機制御部１１２の各処理部を通信ネットワークと接続可能に構成しても、本発明の目的を達成できる。この場合、上記のプログラムコードを、通信ネットワークを介して供給する。この通信ネットワークは、クラウドデータ処理部１０５および電話機制御部１１２の各処理部にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１３１】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３３】
本発明は上述した実施形態に限定されるものではなく、請求項に示した範囲で種々の変更が可能であり、これら変更についても本発明の技術的範囲に含まれる。
【産業上の利用可能性】
【０１３４】
本発明は、サーバ・クライアントシステム全体に適用可能であって、特に、クラウドサービス機能を有する通信端末であるスマートフォン、携帯電話機に対して好適に利用することができる。
【符号の説明】
【０１３５】
１０１  アンテナ
１０２  無線部
１０３  マイクロフォン
１０４  スピーカ
１０５  クラウドデータ処理部
１０６  タイマ
１０７  充電池
１０８  メモリ
１０９  操作パネル
１１０  一括削除ボタン（削除実行手段）
１１１  表示部（復旧実行手段、削除実行手段）
１１２  電話機制御部
１１５  データ復旧処理部（データ復旧手段、規定時間延長手段）
１１６  データ削除処理部
１２１  データ送受信部
１２１ａ  データアップロード部
１２１ｂ  データダウンロード部
１２２  データ同期確認処理部
１２３  タイマ予約設定部
１２４  データ削除部（データ削除手段）
１２５  復旧可能確認部（復旧可能確認手段）
１２６  削除データ選択部（削除データ選択手段）
２０１  クラウドサーバ（サーバ）
【図１】
2013250896.tif 000003
【図２】
2013250896.tif 000004
【図３】
2013250896.tif 000005
【図４】
2013250896.tif 000006